(57)【要約】【課題】先日付となる予約分と当日分となる一般分とが受付される運用時間の時間帯を区別して管理できる為替集中システムを利用した振込依頼書の受付管理方法に関する技術を提供する点にある。【解決手段】図１に示すように、本実施の形態に係る振込依頼書の受付管理方法を実施するシステムは、スキャナー１１を備える営業店スキャナシステム（データ処理手段）１０と、為替集中システム２０と、ホストシステム３０と、これらを相互に接続するインターネット等の通信ネットワーク（回線網）１００とで概略構成されている。【選択図】　　　　図１
2004139456.tif 000002
【特許請求の範囲】
【請求項１】
ネットワークを介した金融機関の為替業務における振込依頼書の受付管理方法であって、
データ入出力機能及び前記ネットワークを介したデータ送受信機能を有するデータ処理手段から前記ネットワークを介して振込依頼書データを処理する為替集中システムに対し、前記振込依頼書データの受付可能な運用時間の取得要求データが送信され、受付の時間帯に対応する運用時間データが前記データ処理手段に送信される第１のステップと、
前記データ処理手段において、当日分と予約分とが区別された顧客の振込依頼書が入力され、前記運用時間の時間帯に従い、入力された前記振込依頼書から作成された振込依頼書データが為替集中システムに送信される第２のステップと、
前記為替集中システムにおいて、送信された前記振込依頼書データは、前記当日分と前記予約分とを区別して管理され、データの補正を含む補正・検証処理の取り出し条件を満たしているかどうか判断され、前記取り出し条件を満たしている場合に該当する振込依頼書データは抽出され処理され、為替データを含む一般勘定のデータ処理を行うホストシステムに、仕向けデータとして送信される第３のステップとを有し、
前記第１のステップにおける受信された運用時間データは、前記当日分の一般受付時間と先日付処理される予約分受付時間の時間帯のデータを含み、
前記第２のステップは、前記運用時間の時間帯について、前記当日分と前記予約分とが区別されて送信されるステップを含み、
前記第３のステップは、当日分の振込依頼書データと、予約分の中で抽出が行われる処理日が予約分の先日付に一致する振込依頼書データとが抽出されるステップを含む
ことを特徴とする振込依頼書の受付管理方法。
【請求項２】
前記第１のステップは、前記振込依頼書データが、営業店や支店に設けられ、スキャナーを有する前記データ処理手段において、顧客などにより手書き記入された振込依頼書が前記スキャナーにてスキャナ読込処理されて作成されるステップを含み、
前記第２のステップは、当日分と予約分との区分を含む前記振込依頼書データが文字認識手段により文字認識され、オペレータによる補正・検証端末の操作にて不読・誤読文字の補正が行われ、役席者による検証が行われて前記仕向けデータが作成されるステップを含む
ことを特徴とする請求項１に記載の振込依頼書の受付管理方法。
【請求項３】
前記第２のステップは、前記振込依頼書データが、顧客から受付した前記振込依頼書の振込日の内容に基づき、当日分又は予約分で管理される採番処理において、当日分と予約分とで別通番に設定されるステップを含むことを特徴とする請求項１又は２に記載の振込依頼書の受付管理方法。
【請求項４】
前記為替集中システムのファイルサーバに登録された前記振込依頼書データは、当日分と予約分とで各々未処理通番の管理が行われ、未処理通番に該当する振込依頼書データは営業店の前記データ処理手段に接続された端末及び前記補正・検証端末を含む為替集中システムの端末から参照されることを特徴とする請求項３に記載の振込依頼書の受付管理方法。
【請求項５】
ネットワークを介した金融機関の為替業務における振込依頼書の受付管理システムであって、
データ入出力機能及び前記ネットワークを介したデータ送受信機能を有するデータ処理手段と、
前記ネットワークを介して振込依頼書データを処理する為替集中システムとを備え、
前記データ処理手段は、当日分と予約分とが区別された前記振込依頼書データの受付可能な運用時間の取得要求データを送信し、受付の時間帯に対応する運用時間データを前記為替集中システムから受信し、前記運用時間の時間帯に従い、当日分や予約分を含む顧客の振込依頼書から作成された振込依頼書データを前記為替集中システムに送信し、
前記データ処理手段により受信された運用時間データは、前記当日分の一般受付時間と先日付処理される予約分受付時間の時間帯のデータを含み、
前記データ処理手段は、前記運用時間の時間帯について、前記当日分と前記予約分とを区別して送信し、
前記為替集中システムは、送信された前記振込依頼書データを、前記当日分と前記予約分とを区別して管理し、当日分の振込依頼書データと、予約分の中で抽出が行われる処理日が予約分の先日付に一致する振込依頼書データとを抽出し、データの補正を含む補正・検証処理の取り出し条件を満たしているかどうか判断し、前記取り出し条件を満たしている場合に該当する振込依頼書データを抽出して処理し、為替データを含む一般勘定のデータ処理を行うホストシステムに、仕向けデータとして送信する
ことを特徴とする振込依頼書の受付管理システム。
【請求項６】
営業店や支店に設けられる前記データ処理手段は、顧客などにより手書き記入された振込依頼書を読込むスキャナーを有し、該スキャナーは、読込まれた振込依頼書から前記振込依頼書データを作成し、
前記為替集中システムは、当日分と予約分との区分を含む前記振込依頼書データを文字認識する文字認識手段と、オペレータにより不読・誤読文字の補正が行われるときに操作される補正・検証端末とを有し、
不読・誤読文字の補正が行われた前記振込依頼書データは、役席者による検証が行われて前記仕向けデータとして処理される
ことを特徴とする請求項５に記載の振込依頼書の受付管理システム。
【請求項７】
前記データ処理手段は、前記振込依頼書データについて、顧客から受付した前記振込依頼書の振込日の内容に基づき、当日分又は予約分で管理される採番処理において、当日分と予約分とで別通番に設定することを特徴とする請求項５又は６に記載の振込依頼書の受付管理システム。
【請求項８】
前記為替集中システムは、前記振込依頼書データを登録するファイルサーバを有し、
該ファイルサーバに登録された前記振込依頼書データについて、当日分と予約分とで各々未処理通番の管理を行い、
未処理通番に該当する振込依頼書データは、営業店の前記データ処理手段に接続された端末及び前記補正・検証端末を含む為替集中システムの端末から参照される
ことを特徴とする請求項７に記載の振込依頼書の受付管理システム。
【請求項９】
請求項１乃至４のいずれかに記載の振込依頼書の受付管理方法におけるデータ処理手段及び為替集中システムの動作を実現するコンピュータプログラムであって、請求項１乃至４のいずれかに記載の各ステップをコード化したことを特徴とするコンピュータプログラム。
【発明の詳細な説明】
【０００１】
【発明の属する技術分野】
本発明は振込依頼書の受付管理方法に関し、特にネットワークを介した金融機関の為替業務における振込依頼書の受付管理方法に属する。
【０００２】
【従来の技術】
従来、振込や送金で債権や債務の決済を行う為替業務において、銀行など金融機関の為替集中システムでは、営業店に設置されているファクシミリ装置より振込依頼書をセンターに送信し、センターに設置されている為替集中システムで受付（受信）し、振込依頼書に記入された手書き文字の自動認識処理後、オペレータによる不読・誤読文字の補正そして役席者による検証が行われ仕向けデータとしてホストへ発信される。しかしながら、振込依頼書の受付が営業店からのファクシミリ装置であるため、ある営業店が締め時間の間際に予約分の依頼書を送信しているために他の営業店が当日分を送信できない等の事象が発生していた。これに対応して、営業店にスキャナシステムを導入し専用線を介し為替集中システムと接続することで、この事象に対する制限等の回避を実施してきた。
【０００３】
特に、特許文献１には、複数の営業店にそれぞれ設置されたＦＡＸと通信回線を介して接続したデータ集中処理システムにおいて、帳票処理装置が、営業店から受付した帳票のデータ処理状況を各営業店毎に監視し、受付時間終了後に未処理又は処理中の帳票のデータがない営業店に対し、その受付時間内に受付された取引の処理結果をまとめた精査票を編集し、ＦＡＸ送受装置を介して、当該営業店のＦＡＸに送信する技術が公開されている。また、特許文献２には、先日付系の為替電文の処理を向上させるため営業店に設置されている専用為替端末からのデータ入力された電文の取扱についての制御に関する技術が公開されている。
【０００４】
【特許文献１】
特開平１１−１３４４１２号公報
【特許文献２】
特開平１０−０９７５８１号公報
【発明が解決しようとする課題】
しかしながら、従来技術には以下に掲げる問題点があった。
振込指定日が翌日以降の振込依頼書である予約分（以下、予約分と称す。）の振込依頼書の処理時間が制約される、即ち、一般には一日の処理業務において振込依頼書の締め時間が一つであるためにその締め時間に予約分が集中することで、顧客から受付した日に振込処理を行う振込依頼書である一般分（以下、一般分と称す。）の振込依頼書の処理に滞りが生じたり、共通の一連番号による通番管理であるため予約分の処理が後回しされることで未処理通番の明確な把握ができず、その対応策として予約分の振込依頼書の受付を午前中のみと言った運用制限をかけたり、又は当日分の振込依頼書の受付処理完了後に再度予約分の受付を行うなど、運用面での対応策が必要であった。
【０００５】
また、ファクシミリ等でのデータ集中を管理するために、各営業店に対して専用回線を介して監視し、最適な状態でデータを受信するというシステムは、一般顧客の動向にシステムを対応させる点でコストがかかりすぎた。更に、予め電子データ化された先日付のデータ処理を行うシステムだけでは、顧客により記入された多様な振込申込書を営業店の窓口で受付て、集中管理・処理システムに対応させことができないという問題点があった。
【０００６】
本発明は斯かる問題点を鑑みてなされたものであり、その目的とするところは、先日付となる予約分と当日分となる一般分とが受付される運用時間の時間帯を区別して管理できる為替集中システムを利用した振込依頼書の受付管理方法に関する技術を提供する点にある。
【０００７】
【課題を解決するための手段】
請求項１記載の本発明の要旨は、ネットワークを介した金融機関の為替業務における振込依頼書の受付管理方法であって、データ入出力機能及び前記ネットワークを介したデータ送受信機能を有するデータ処理手段から前記ネットワークを介して振込依頼書データを処理する為替集中システムに対し、前記振込依頼書データの受付可能な運用時間の取得要求データが送信され、受付の時間帯に対応する運用時間データが前記データ処理手段に送信される第１のステップと、前記データ処理手段において、当日分と予約分とが区別された顧客の振込依頼書が入力され、前記運用時間の時間帯に従い、入力された前記振込依頼書から作成された振込依頼書データが為替集中システムに送信される第２のステップと、前記為替集中システムにおいて、送信された前記振込依頼書データは、前記当日分と前記予約分とを区別して管理され、データの補正を含む補正・検証処理の取り出し条件を満たしているかどうか判断され、前記取り出し条件を満たしている場合に該当する振込依頼書データは抽出され処理され、為替データを含む一般勘定のデータ処理を行うホストシステムに、仕向けデータとして送信される第３のステップとを有し、前記第１のステップにおける受信された運用時間データは、前記当日分の一般受付時間と先日付処理される予約分受付時間の時間帯のデータを含み、前記第２のステップは、前記運用時間の時間帯について、前記当日分と前記予約分とが区別されて送信されるステップを含み、前記第３のステップは、当日分の振込依頼書データと、予約分の中で抽出が行われる処理日が予約分の先日付に一致する振込依頼書データとが抽出されるステップを含むことを特徴とする振込依頼書の受付管理方法に存する。
請求項２記載の本発明の要旨は、前記第１のステップは、前記振込依頼書データが、営業店や支店に設けられ、スキャナーを有する前記データ処理手段において、顧客などにより手書き記入された振込依頼書が前記スキャナーにてスキャナ読込処理されて作成されるステップを含み、前記第２のステップは、当日分と予約分との区分を含む前記振込依頼書データが文字認識手段により文字認識され、オペレータによる補正・検証端末の操作にて不読・誤読文字の補正が行われ、役席者による検証が行われて前記仕向けデータが作成されるステップを含むことを特徴とする請求項１に記載の振込依頼書の受付管理方法に存する。
請求項３記載の本発明の要旨は、前記第２のステップは、前記振込依頼書データが、顧客から受付した前記振込依頼書の振込日の内容に基づき、当日分又は予約分で管理される採番処理において、当日分と予約分とで別通番に設定されるステップを含むことを特徴とする請求項１又は２に記載の振込依頼書の受付管理方法に存する。
請求項４記載の本発明の要旨は、前記為替集中システムのファイルサーバに登録された前記振込依頼書データは、当日分と予約分とで各々未処理通番の管理が行われ、未処理通番に該当する振込依頼書データは営業店の前記データ処理手段に接続された端末及び前記補正・検証端末を含む為替集中システムの端末から参照されることを特徴とする請求項３に記載の振込依頼書の受付管理方法に存する。
請求項５記載の本発明の要旨は、ネットワークを介した金融機関の為替業務における振込依頼書の受付管理システムであって、データ入出力機能及び前記ネットワークを介したデータ送受信機能を有するデータ処理手段と、前記ネットワークを介して振込依頼書データを処理する為替集中システムとを備え、前記データ処理手段は、当日分と予約分とが区別された前記振込依頼書データの受付可能な運用時間の取得要求データを送信し、受付の時間帯に対応する運用時間データを前記為替集中システムから受信し、前記運用時間の時間帯に従い、当日分や予約分を含む顧客の振込依頼書から作成された振込依頼書データを前記為替集中システムに送信し、前記データ処理手段により受信された運用時間データは、前記当日分の一般受付時間と先日付処理される予約分受付時間の時間帯のデータを含み、前記データ処理手段は、前記運用時間の時間帯について、前記当日分と前記予約分とを区別して送信し、前記為替集中システムは、送信された前記振込依頼書データを、前記当日分と前記予約分とを区別して管理し、当日分の振込依頼書データと、予約分の中で抽出が行われる処理日が予約分の先日付に一致する振込依頼書データとを抽出し、データの補正を含む補正・検証処理の取り出し条件を満たしているかどうか判断し、前記取り出し条件を満たしている場合に該当する振込依頼書データを抽出して処理し、為替データを含む一般勘定のデータ処理を行うホストシステムに、仕向けデータとして送信することを特徴とする振込依頼書の受付管理システムに存する。
請求項６記載の本発明の要旨は、営業店や支店に設けられる前記データ処理手段は、顧客などにより手書き記入された振込依頼書を読込むスキャナーを有し、該スキャナーは、読込まれた振込依頼書から前記振込依頼書データを作成し、前記為替集中システムは、当日分と予約分との区分を含む前記振込依頼書データを文字認識する文字認識手段と、オペレータにより不読・誤読文字の補正が行われるときに操作される補正・検証端末とを有し、不読・誤読文字の補正が行われた前記振込依頼書データは、役席者による検証が行われて前記仕向けデータとして処理されることを特徴とする請求項５に記載の振込依頼書の受付管理システムに存する。
請求項７記載の本発明の要旨は、前記データ処理手段は、前記振込依頼書データについて、顧客から受付した前記振込依頼書の振込日の内容に基づき、当日分又は予約分で管理される採番処理において、当日分と予約分とで別通番に設定することを特徴とする請求項５又は６に記載の振込依頼書の受付管理システムに存する。
請求項８記載の本発明の要旨は、前記為替集中システムは、前記振込依頼書データを登録するファイルサーバを有し、該ファイルサーバに登録された前記振込依頼書データについて、当日分と予約分とで各々未処理通番の管理を行い、未処理通番に該当する振込依頼書データは、営業店の前記データ処理手段に接続された端末及び前記補正・検証端末を含む為替集中システムの端末から参照されることを特徴とする請求項７に記載の振込依頼書の受付管理システムに存する。
請求項９記載の本発明の要旨は、請求項１乃至４のいずれかに記載の振込依頼書の受付管理方法におけるデータ処理手段及び為替集中システムの動作を実現するコンピュータプログラムであって、請求項１乃至４のいずれかに記載の各ステップをコード化したことを特徴とするコンピュータプログラムに存する。
【０００８】
【発明の実施の形態】
以下、本発明の実施の形態を図面に基づいて詳細に説明する。
図１に示すように、本実施の形態に係る振込依頼書の受付管理方法を実施するシステムは、スキャナー１１を備える営業店スキャナシステム（データ処理手段）１０と、為替集中システム２０と、ホストシステム３０と、これらを相互に接続するインターネット等の通信ネットワーク（回線網）１００とで概略構成されている。
【０００９】
為替集中システム２０は、ファイルサーバ２１や補正・検証端末２２などの構成機器を有し、ワークステーション・サーバ等の情報処理装置を含む。
【００１０】
営業店スキャナシステム１０は、パーソナルコンピュータ等の情報処理装置とスキャナ装置を利用したデータ入力システムである。また、営業店スキャナシステム１０は、一般受付可能時間と予約分受付可能時間との時間帯により振込依頼書の入力制限を行う。更に、営業店スキャナシステム１０により入力された振込依頼書が為替集中システム２０でどのような処理状況であるかの照会機能を有する。
【００１１】
為替集中システム２０は、営業店スキャナシステム１０より入力された振込依頼書（振込依頼書データ）の受付、データの補正・検証及びホストシステム３０へのデータ発信、これらデータの処理状況の管理機能を有するシステムである。また、営業店スキャナシステム１０の当日分と予約分の受付時間は、集中部又は集中センターに設置された為替集中システム２０において予め設定され、この受付時間に従って受付処理がされる。
【００１２】
ファイルサーバ２１は、営業店スキャナシステム１０より入力された振込依頼書の受付、保存、管理を行う装置である。補正・検証端末２２は、受付した振込依頼書の補正処理又は検証処理及びデータの処理状況照会、各種情報のメンテナンス機能を有する。
【００１３】
ホストシステム３０は、為替集中システム２０で処理されたデータの発信先システムであり、為替データを含む一般勘定のデータ処理システムであるので説明は省略する。
【００１４】
図２は、本実施の形態に係る振込依頼書の受付管理方法の動作の流れの一例を示す図である。
図１に示す為替集中システム２０及び営業店スキャナシステム１０は、金融機関における集中部又は集中センター及び営業店の為替業務の効率化を目的として開発されたシステムである。
【００１５】
図１及び図２を参照して、営業店で受付された振込依頼書の処理フローを詳しく説明する。
営業店に設置された営業店スキャナシステム１０において「立ち上げ処理」を行い、為替集中システム２０に対し運用時間の取得要求（取得要求データ）を送信し、為替集中システム２０から当日分（当日処理分）と先日付処理となる予約分の受付時間（運用時間データ）を取得する。この「立ち上げ処理」は毎朝必ず営業店スキャナシステム１０にて実施する必要がある。
【００１６】
営業店の行員は、お客様（顧客）から伝票受付し（ａ）、振込依頼書の記入内容（振込日など）を確認して当日分又は予約分で管理される通番記入、採番票記入（ｂ）（採番処理）する。また、顧客から受付した振込依頼書に管理通番を採番する採番処理において、当日分と予約分とで別通番を設定することで、営業店の営業店スキャナシステム１０に接続された端末（図示せず）と、集中部や集中センターの為替集中システム２０の補正・検証端末２２を利用してファイルサーバ２１に登録された振込依頼書データのうち未処理通番の参照ができる。また、当日分と予約分とで別通番に設定する処理は、営業店スキャナシステム１０にて、文字認識手段又は記号認識手段を用い、振込依頼書を読込む際に自動的に行うこともできる。
【００１７】
次に、役席の承認を得て営業店スキャナシステム１０の「スキャナ読込処理」を起動し、当日分又は予約分の選択を行い振込依頼書のスキャナ読込（ｃ）を行う。ここで受付時間が過ぎている場合は、メッセージが表示され読込処理ができなくなる。
【００１８】
読込まれた振込依頼書データは、自動的に為替集中システム２０にデータ送信され（ｄ）ファイルサーバ２１のデータベースに登録される。登録された振込依頼書データは、ＯＣＲ装置など文字認識処理手段（図示せず）にて手書き記入された文字認識（ｅ）の処理後、補正・検証端末２２でオペレータによる不読・誤読文字の補正（ｆ）が行われ、また、役席者による検証（認証）（ｇ）が行われ仕向けデータとしてホストシステム３０へホスト発信（ｈ）される（送信される）。
【００１９】
なお、為替集中システム２０に登録された振込依頼書データは当日分、予約分として管理され「補正・検証処理」の取り出し条件を満たすデータが抽出され処理される。この取り出し条件は、各振込依頼書データに文字の補正処理済や検証済のマークが付加されることで判断される。また、当日分のデータ及び予約分の中で抽出が行われる処理日が予約分の先日付に一致するデータが取り出し条件の対象となる。
【００２０】
未処理通番の管理は、ファイルサーバ２１の中で行われ営業店スキャナシステム１０及び補正・検証端末２２から照会することができる。これにより営業店と、為替集中システム２０を有する集中部又は集中センターとの双方での未処理通番についての照会ができる。
【００２１】
図３は、図２のスキャナ読込（ａ）における起動画面の一例を示す図である。
起動画面には、当日及び予約を区別する帳票種別Ａ０１と単票式、連記式、登録式を区別する帳票区分Ａ０２と、読取枚数Ａ０３などの項目が表示される。
【００２２】
以上の構成を要約すると、金融機関における為替業務の中で営業店で取り扱う振込依頼書の一般分と予約分の振込依頼書を営業店端末から回線網１００を介して為替集中システム２０に送信し振込処理を行う際の振込依頼書の受付処理及び管理を行うことができる。
【００２３】
また、為替集中システム２０は、営業店からの振込依頼書受付時間として一般分受付と予約受付の２つの受付時間に対応する。営業店は、営業店スキャナシステム１０の立ち上げ処理を行うことにより為替集中システム２０より回線網１００を介して本日の運用時間（一般受付可能時間と予約分受付可能時間）を入手する。
【００２４】
営業店スキャナシステム１０は、これらの受付時間により振込依頼書の読込時に処理可能可否の判断を行う。営業店は、顧客により持ち込まれた振込依頼書の種類（一般分、予約分）によりそれぞれの管理通番を設定し営業店スキャナシステム１０より入力する。
【００２５】
入力されたデータは、自動的に回線網１００を介して為替集中システム２０のファイルサーバ２１に送信される。為替集中システム２０では、営業店から受付したデータを一般分受付又は予約受付としてそれぞれ別々に管理を行うことで、補正・検証処理での優先処理、未処理通番管理やホストシステム３０への発信処理時の予約分データの繰越処理を行い、後日の発信可能日に発信する。
【００２６】
なお、手書き記入された振込依頼書データに対する誤読の補正は、営業店スキャナシステム１０及び為替集中システム２０における行員の業務量のバランスを考慮し、営業店スキャナシステム１０に補正用の端末を接続させて営業店にて補正処理することもできる。
【００２７】
また、本実施の形態においては、本発明はそれに限定されず、本発明を適用する上で好適な振込依頼書の受付管理方法に適用することができる。
また、上記構成部材の数、位置、形状等は上記実施の形態に限定されず、本発明を実施する上で好適な数、位置、形状等にすることができる。
なお、各図において、同一構成要素には同一符号を付している。
【００２８】
【発明の効果】
本発明は以上のように構成されているので、以下に掲げる効果を奏する。
第１の効果は、振込依頼書の種類により管理通番を採番することで営業店及び集中部又は集中センターでの未処理通番が速やかに把握できることである。その理由は、営業店で顧客から受付した振込依頼書に管理通番を採番する際に当日分と予約分とで別通番を設定し、設定された各通番を為替集中システムにて管理するからである。
【００２９】
第２の効果は、営業店において予約分の受付時間内であれば、その時間内の都合の良いときに予約分の振込依頼書を処理することができる。即ち、当日分の振込依頼書の受付時間についての制限を受けずに処理が可能である。その理由は、金融機関の営業店に設置された営業店スキャナシステムにおいて毎朝の「立ち上げ処理」を行い、集中部又は集中センターに設置された為替集中システムから回線網を介して「当日受付当日発信分（当日分）」と「当日受付翌日以降発信分（予約分）」の２つの運用時間を区別して処理するからである。また、営業店スキャナシステムの当日分と予約分の受付時間は、集中部又は集中センターに設置された為替集中システムから設定され制御されるからである。
【００３０】
第３の効果は、営業店での振込依頼書の受付時間は為替集中システムの運用状況により制御することが可能である。また、営業店は顧客から受付した振込依頼書の処理を行う際に、受信した運用時間に従って、当日分と予約分を区別することで予約分の振込依頼書についての滞留を減少できる。
【図面の簡単な説明】
【図１】本発明の実施の形態に係る振込依頼書の受付管理方法を実施するシステムの概略構成図である。
【図２】本発明の実施の形態に係る振込依頼書の受付管理方法の動作の流れの一例を示す図である。
【図３】図２のスキャナ読込（ａ）における起動画面の一例を示す図である。
【符号の説明】
１０　営業店スキャナシステム（データ処理手段）
１１　スキャナー
２０　為替集中システム
２１　ファイルサーバ
２２　補正・検証端末
３０　ホストシステム
１００　通信ネットワーク（回線網）
Ａ０１　帳票種別
Ａ０２　帳票区分
Ａ０３　読取枚数
【図１】
2004139456.tif 000003
【図２】
2004139456.tif 000004
【図３】
2004139456.tif 000005